(57)【要約】装着型モバイル通信装置における適用のためにＮＦＣアンテナを含める方法、装置及びシステムが提供される。１つの態様において、装着型モバイル通信装置は、近接通信のための処理部を含むエレクトロニクス・ブロック又はエレクトロニクス本体と、着用者によって身に付けられるときにエレクトロニクス・ブロックを保持するよう構成される調整可能なストラップとを含む。ストラップは、少なくとも１つの巻きを有するコイルを形成するよう接続され、コイルの巻き間のギャップを満たすよう構成される非導電材料によって分離される導電材料を含む。コイルは、エレクトロニクス・ブロックへ電気的に接続され、近距離通信（ＮＦＣ）アンテナを有する。
2019511152.tif 000002
【特許請求の範囲】
【請求項１】
近距離通信のための処理部を含むエレクトロニクス・ブロックと、
着用者によって身に付けられるときに前記エレクトロニクス・ブロックを保持するよう構成される調整可能なストラップと
を有し、
前記ストラップは、
少なくとも１つの巻きを有するコイルを形成するよう接続され、該コイルの巻き間のギャップを満たすよう構成される非導電性材料によって分離される導電性材料
を含み、
前記コイルは、前記エレクトロニクス・ブロックへ電気的に接続され、近距離通信（ＮＦＣ）アンテナを有する、
装着型モバイル通信装置。
【請求項２】
前記コイルは、１３．５６ＭＨｚアンテナである、
請求項１に記載の装着型モバイル通信装置。
【請求項３】
前記コイルは、アクティブ・モード、パッシブ・モード、及びピア・ツー・ピア・モードにおけるＮＦＣアンテナ動作をサポートする、
請求項１に記載の装着型モバイル通信装置。
【請求項４】
前記非導電性材料は、フェライト材を含む、
請求項１に記載の装着型モバイル通信装置。
【請求項５】
前記非導電性材料は、誘電材料を含む、
請求項１に記載の装着型モバイル通信装置。
【請求項６】
前記ストラップは、金属を含む、
請求項１に記載の装着型モバイル通信装置。
【請求項７】
前記ストラップの一端の少なくとも一部は、前記エレクトロニクス・ブロックの中にある、
請求項１に記載の装着型モバイル通信装置。
【請求項８】
前記ストラップの両端の少なくとも一部は、前記エレクトロニクス・ブロックの中にある、
請求項１に記載の装着型モバイル通信装置。
【請求項９】
前記ストラップのどの部分も前記エレクトロニクス・ブロックの中になく、前記ストラップは、前記エレクトロニクス・ブロックへ接続されたヒンジを通じて給電構造へ接続される、
請求項１に記載の装着型モバイル通信装置。
【請求項１０】
前記エレクトロニクス・ブロックは、表示部を含む、
請求項１に記載の装着型モバイル通信装置。
【請求項１１】
装着型通信装置のためのストラップであり、
着用者によって身に付けられるときに前記装着型通信装置を保持するよう構成される基体部分と、
前記基体部分の周囲に隣接したコイルと
を有し、
前記コイルは、前記装着型通信装置へ電気的に接続され、近距離通信（ＮＦＣ）アンテナを有する、
ストラップ。
【請求項１２】
当該ストラップの長さは、前記コイルの部分どうしの間の導電接続を中断することなしに当該ストラップの断片を除去又は追加することによって調整可能である、
請求項１１に記載のストラップ。
【請求項１３】
当該ストラップを着用者に留めるための保持機構であり、更には、該保持機構によって結合される前記基体部分の断片上の前記コイルの部分どうしの間に導電接続を形成するための前記保持機構を更に有する、
請求項１１に記載のストラップ。
【請求項１４】
当該ストラップの一端の少なくとも一部は、前記装着型通信装置のエレクトロニクス・ブロックの中にある、
請求項１１に記載のストラップ。
【請求項１５】
前記コイルは、前記装着型通信装置の前記エレクトロニクス・ブロックへの接続を用いて給電される、
請求項１４に記載のストラップ。
【請求項１６】
当該ストラップのどの部分も前記装着型通信装置のエレクトロニクス・ブロックの中になく、当該ストラップは、前記エレクトロニクス・ブロックへ接続されたヒンジを通じて給電構造へ接続される、
請求項１１に記載のストラップ。
【請求項１７】
基体の周囲に近接したコイルにより形成され、着用者によって身に付けられるときにエレクトロニクス・ブロックを保持するよう構成される調整可能なストラップを設けることと、
前記コイルを前記エレクトロニクス・ブロックへ電気的に接続することと
を有し、
前記コイルは、近距離通信（ＮＦＣ）アンテナの一部を有する、
方法。
【請求項１８】
前記ストラップにおいて前記コイルを成形することを有する、
請求項１７に記載の方法。
【請求項１９】
前記ストラップの中にある前記ＮＦＣアンテナの前記一部を、前記エレクトロニクス・ブロックの中にある前記ＮＦＣアンテナの第２部分へ接続することを有する、
請求項１７に記載の方法。
【請求項２０】
前記コイルを前記エレクトロニクス・ブロックへ電気的に接続することを有する、
請求項１７に記載の方法。
【発明の詳細な説明】
【技術分野】
【０００１】
［相互参照］
本願は、２０１６年２月１日付けで出願された、“NFC  ANTENNA  FOR  WEARABLE  APPLICATION”と題された米国非仮特許出願第１５／０１２２２０号の優先権を主張する。この特許出願は、その全体が再現されているかのように、参照により本明細書に援用される。
【０００２】
［技術分野］
本開示は、ワイヤレス通信に関する。より具体的には、本開示は、短距離ワイヤレス通信のための装着型アンテナに関する。
【背景技術】
【０００３】
［背景］
モバイル通信装置は、他の装置へのリンクを確立するために様々なワイヤレス・プロトコルを使用する。近距離通信（ＮＦＣ）プロトコルは、それらの装置が、装置をお互いの直ぐ近くに持って行くことによって、無線周波数通信を確立することを可能にする。ＮＦＣは、１３．５６ＭＨｚの無線周波数帯域で動作する。これは、比較的大きいサイズのアンテナ又はコイルを必要とし、よって、装着型装置のような、特定の、より小さいモバイル通信装置におけるＮＦＣの適用を制限する。装着用途のための改善されたＮＦＣアンテナの必要性が存在する。
【発明の概要】
【０００４】
［概要］
装着型モバイル通信装置における適用のためにＮＦＣアンテナを含める方法、装置及びシステムが提供される。１つの態様において、装着型モバイル通信装置は、近接通信のための処理部を含むエレクトロニクス・ブロック又はエレクトロニクス本体と、着用者によって身に付けられるときにエレクトロニクス・ブロックを保持するよう構成される調整可能なストラップとを含む。ストラップは、少なくとも１つの巻きを有するコイルを形成するよう接続され、コイルの巻き間のギャップを満たすよう構成される非導電材料によって分離される導電材料を含む。コイルは、エレクトロニクス・ブロックへ電気的に接続され、近距離通信（ＮＦＣ）アンテナを有する。
【０００５】
他の態様は、着用者によって身に付けられるときに装着型通信装置を保持するよう構成される基体部分を含む、装着型通信装置のためのストラップを提供する。様々な実施形態において、ストラップは、基体部分の周囲に近接したコイルを含み、コイルは、装着型通信装置へ電気的に接続され、近距離通信（ＮＦＣ）アンテナを有する。
【０００６】
他の態様は、着用者によって身に付けられるときにエレクトロニクス・ブロックを保持するよう構成される調整可能なストラップを設ける方法を提供する。様々な実施形態に従って、ストラップは、基体の周囲に近接したコイルにより形成される。コイルは、様々な実施形態において、エレクトロニクス・ブロックへ電気的に接続され、近距離通信（ＮＦＣ）アンテナの一部を有する。
【図面の簡単な説明】
【０００７】
［図面の簡単な説明］
【図１】図１Ａ〜１Ｃは、例となる実施形態に従って、装着用途のためのＮＦＣアンテナの透視図を表す。
【図２】図２Ａは、例となる実施形態に従って、第２ＮＦＣアンテナに近接している装着用途のためのＮＦＣアンテナの側面図を表す。図２Ｂは、例となる実施形態に従って、図２Ａのアンテナ間の結合を表すグラフである。
【図３】図３Ａは、例となる実施形態に従って、時計本体から給電される、装着用途のためのＮＦＣアンテナの上面図を表す。図３Ｂは、例となる実施形態に従って、図３ＡのＮＦＣアンテナと第２ＮＦＣアンテナとの間の結合を表すグラフである。
【図４】図４Ａは、例となる実施形態に従って、第２ＮＦＣアンテナに近接している、人の腕部模型に着けられた装着用途のためのＮＦＣアンテナの側面図を表す。図４Ｂは、例となる実施形態に従って、図４Ａのアンテナ間の結合を表すグラフである。
【図５】図５Ａは、例となる実施形態に従って、ＮＦＣアンテナの横で第２ＮＦＣアンテナに近接している装着用途のためのＮＦＣアンテナの側面図を表す。図５Ｂは、例となる実施形態に従って、図５Ａのアンテナ間の結合を表すグラフである。
【図６】図６Ａ〜６Ｄは、例となる実施形態に従って、金属製ストラップを具備する装着用途のためのＮＦＣアンテナの透視図を表す。
【図７】図７Ａ〜７Ｂは、例となる実施形態に従って、プラスチック製又は革製ストラップを具備する装着用途のためのＮＦＣアンテナの上面図を表す。
【図８】図８は、例となる実施形態に従う方法を実行するよう装置を実装する回路構成を表すブロック図である。
【図９】図９Ａ〜９Ｂは、例となる実施形態に従って、装着用途のためのＮＦＣアンテナのための給電の上面図を表す。
【発明を実施するための形態】
【０００８】
［詳細な説明］
以下の説明では、本明細書の一部を形成し、実施可能な具体的な実施形態を例示として示す添付図面を参照する。それらの実施形態は、当業者が発明を実施することを可能にするよう十分詳細に記載されており、そして、他の実施形態が利用されてよく、構造的、論理的及び電気的な変更が、本発明の適用範囲から逸脱することなく行われてよいことが理解されるべきである。例となる実施形態の以下の説明は、従って、限定された意味で解釈されるべきではなく、本発明の適用範囲は、添付の特許請求の範囲によって定義されるように、広く解釈されるべきである。
【０００９】
１３．５６ＭＨｚの無線周波数帯域で動作する近距離通信（ＮＦＣ）プロトコルは、モバイル通信装置が、装置をお互いの近くに持って行くことによって、無線周波数通信を確立することを可能にする。モバイル装置におけるＮＦＣの使用は、携帯電話機及びアクセサリのような様々なモバイル装置において増えている。ＮＦＣ装置は、３つのモード、すなわち、タグ読み取り及びペアリングのためのアクティブ・モード、カード・エミュレーション／支払いのためのパッシブ・モード、並びにシェアリングのためのピア・ツー・ピア・モード、において使用され得る。現在、装着型装置は、それらの小さいサイズにより、十分なヒューマン入力インターフェイスを欠いている。本主題は、電子ウォレット、情報交換のためのピア・ツー・ピア（Ｐ２Ｐ）モード、認証及びアクセス制御、並びに情報読み出しのためのリーダー／ライター・モードのような機能を可能にするよう装着型装置のためのＮＦＣを提供する。装着型装置は、人間の行動に密接に結びついており、審美的魅力は、スマート・ウォッチのようなデザイン・ウェアラブル・デバイスにおいて重要な役割を果たす。
【００１０】
１３．５６ＭＨｚでのＮＦＣの周波数帯域は、大きいサイズのアンテナ／コイルを使用し、特定のタイプのより小さい装置におけるＮＦＣの適用を制限する。限られた空間及び金属環境により、従来の平面ＮＦＣアンテナは、それらのより小さい装着型装置では適切に動かない。ＮＦＣの限られた空間に対処する１つの従前の方法は、アクティブな負荷変調（パッシブ・モードをエミュレートすること）を使用して、パッシブ・モードで生成された信号強さを押し上げることであり、よって、典型的なＮＦＣアンテナの部分容量しか必要としないアンテナを使用した。しかし、アクティブな負荷変調は、他の２つのＮＦＣモードについては動かず、結果として、この技術を使用する装置は、ＮＦＣ準拠を主張することができない。その上、金属製の時計本体又は金属製のストラップのための既存のＮＦＣ解決法はない。
【００１１】
本主題は、時計のストラップを使用するＮＦＣアンテナの設計の方法を提供する。スマート・ウォッチのためのストラップ上に設計されたＮＦＣアンテナは、様々な実施形態において、金属及び非導電性材料により作られ得る。ストラップの長さは、例となる実施形態において、異なった手首サイズに適合するよう調整され得る。金属材料及び非導電性材料を用いてＮＦＣアンテナを製造するための方法が提供される。近距離磁界結合に関しては、最大磁界束を得るためにコイルタイプのアンテナが好ましい。検出距離は、より多くの巻数及びより大きい面積が整合を犠牲にしながら磁束を増大させうるように、コイルの巻数及び面積に関係している。通常のインダクタンスは、様々な実施形態において、１マイクロヘンリ（μＨ）から２μＨの間を目標とされる。ＩＳＯ／ＩＥＣ−１４４４３  Ａ／Ｂをサポートするよう、〜１．９２ＭＨｚの帯域幅、又は〜３５±１０％のＱが、様々な実施形態において、使用される。ＮＦＣ周波数（１３．５６ＭＨｚ）での波長は、長さがおおよそ２２．１２メートルであり、そのようなものとして、ストラップ長さ（及びその何らかの調整）の影響は、装置のＮＦＣ性能に対して無視できるほどである。
【００１２】
図１Ａ〜１Ｃは、例となる実施形態に従って、装着用途のためのＮＦＣアンテナの透視図を表す。図１Ａにおいて、装着型モバイル通信装置は、表示部を含むエレクトロニクス・ブロック１０２と、着用者によって身に付けられるときにエレクトロニクス・ブロックを保持するよう構成される調整可能なストラップとを含む。様々な実施形態において、ストラップ１０８は、基体１０４と、基体の周囲に隣接したコイル１０６とを含み、コイル１０６は、エレクトロニクス・ブロック１０２へ電気的に接続されており、近距離通信（ＮＦＣ）アンテナを有する。“周囲に隣接した”とは、本主題において基体又はストラップの周囲にあるか又はその近くにあるコイルの位置を言う。例となる実施形態において、エレクトロニクス・ブロック１０２は時計である。コイル１０６は、様々な実施形態において、銅又は他の物質を含んでよい。基体１０４は、様々な実施形態において、フェライトを含む金属材料を含んでも又は含まなくてもよい。時計ストラップの直径Ｄは可変であることができ、１つの例では、直径はおおよそ５５ミリメートル（ｍｍ）である。エレクトロニクス・ブロック１０２のサイズは様々であることができ、１つの例では、エレクトロニクス・ブロックはおおよそ４０ｍｍ×３５ｍｍである。コイル１０６は、様々な実施形態において、様々な幅、ギャップ（巻き間の空間）及び巻数を有することができる。１つの例となる実施形態では、コイル１０６の巻きの幅はおおよそ１ｍｍであり、コイル１０６は２巻きを有し、巻きはそれらの間におおよそ１ｍｍのギャップを有する。様々な実施形態において、コイル１０６の幅、巻き及びギャップは、基体の誘電率に依存する。図１Ａの例では、コイル１０６は、おおよそ１．６μＨのインダクタンス及びおおよそ３８のＱ係数を有する。Ｑ係数の値は、発振器又は共振器がどれくらい不足制動であるかを記述し、共振器の、その中心周波数に対する帯域幅の特性を示す。
【００１３】
様々な実施形態に従って、コイル１０６は、１３．５６ＭＨｚアンテナである。コイル１０６は、様々な実施形態において、アクティブ・モード、パッシブ・モード、及びピア・ツー・ピア・モードにおけるＮＦＣアンテナ動作をサポートする。ストラップは、例となる実施形態において、基体１０４の役目を務めるよう構成される非導電性材料を含む。非導電性材料の例には、プラスチック又は皮革があるが、これらに限られない。ストラップは、様々な実施形態において、金属を含む。例となる実施形態において、コイル１０６は、１μＨから２μＨの間のインダクタンスを有する。エレクトロニクス・ブロックは、様々な実施形態において、時計表示を含む。
【００１４】
本主題は、着用者によって身に付けられるときに装着型通信装置を保持するよう構成される基体部分１０４を含む、装着型通信装置のためのストラップを提供する。様々な実施形態において、ストラップは、基体部分の周囲に隣接したコイルを含み、コイルは、装着型通信装置へ電気的に接続されており、近距離通信（ＮＦＣ）アンテナを有する。様々な実施形態に従って、ストラップの長さは、ストラップの断片を除去又は追加することによって調整可能である。ストラップは、例となる実施形態において、ストラップを着用者に留めるための保持機構であり、更には、保持機構によって結合される基体部分の断片上のコイル１０６の部分どうしの間に導電接続を形成するための保持機構を更に含む（例えば、図７Ｂに図示。）。保持機構には、スナップ又はボタンがあるが、これらに限られない。様々な実施形態において、時計ストラップは、ＮＦＣアンテナの基体の機能を果たし、そして、基体をフェライト材にする必要はなく、それはプラスチック、皮革又は他の誘電材料であることができる。材料は、例となる実施形態において、弾性又は伸縮性物質を含むことができる。様々な実施形態において、シャント・キャパシタのようなチューニング可能なキャパシタが、アンテナを微調整するために使用される。チューニング可能なキャパシタは、例となる実施形態において、エレクトロニクス・ブロックに位置することができる。
【００１５】
本主題は、ＮＦＣアンテナとして機能するようアンテナ・コイルをストラップに含める方法を提供する。様々な実施形態に従って、ストラップ１０８は、図１Ｂに示されるように、基体１０４と、基体の周囲に隣接したコイル１０６とを含む。コイル１０６は、様々な実施形態において、エレクトロニクス・ブロック１０２へ電気的に接続されており、近距離通信（ＮＦＣ）アンテナの一部を有する。様々な実施形態において、コイルは、図１Ｃに示されるように、ストラップ１０８において成形される。ストラップ１０８は、熱弾性材料の中にあるか、あるいは、金属製又は非金属製ストラップ上で接続されている、モールドを含むことができる。ストラップ１０８におけるＮＦＣアンテナの部分は、様々な実施形態において、図９Ａ〜９Ｃに示されるように、エレクトロニクス・ブロックにおけるＮＦＣアンテナの第２部分へ接続され得る。１つの実施形態では、アンテナの曲げ部分が装着型装置の内部に位置し、ストラップの可変な長さが異なるサイズの手首に合うことを可能にする。金属接点が、実施形態において、ストラップにおいて及び装着型装置又はエレクトロニクス・ブロックにおいてアンテナ素子の接続を設けるために使用される。コイルは、様々な実施形態において、エレクトロニクス・ブロック又はエレクトロニクス本体へ電気的に接続される。図９Ａ〜９Ｃは、例となる実施形態に従って、装着用途のためのＮＦＣアンテナのための給電の上面図を表す。図９Ａでは、ストラップの両端９０４、９０６が、エレクトロニクス・ブロック９０２（時計本体）の中にあるＮＦＣアンテナの部分を有し、ＮＦＣアンテナは、いずれかの側にあるソース９００から給電され得る。図９Ｂでは、ストラップの一端９２４が、エレクトロニクス・ブロック９２２（時計本体）の中にあるＮＦＣアンテナの部分を有し、他端９２６は本体の外にあり、ＮＦＣアンテナは、本体の内部にある側で給電され得る。様々な実施形態において、ＮＦＣアンテナ９２４の内側部分は、印刷回路基板（ＰＣＢ）上に印刷され、ヒンジにより外側部分へ接続され得る。図９Ｃでは、ストラップのどの部分も、エレクトロニクス・ブロック９４２（時計本体）の中にあるＮＦＣアンテナの部分を有さない。代わりに、ストラップの一端９４４（又は両端９４４、９４６）は、エレクトロニクス・ブロック９４２へ接続されているヒンジ９４０又は同様のタイプの構造を通じた接続により給電される。
【００１６】
図２Ａは、例となる実施形態に従って、第２ＮＦＣアンテナ２１０に近接してコイル１０６を使用する、装着用途のためのＮＦＣアンテナを表す。図２Ｂは、例となる実施形態に従って、お互いの３０ｍｍ内に持って行かれたときに図２Ａのアンテナ間の結合を表すグラフである。第２ＮＦＣアンテナ２１０は、表されているグラフ図解に関して、標準のコイルを含む。図２Ｂに示されるように、ＮＦＣアンテナと第２ＮＦＣアンテナとの間の結合は、２つのコイルが３０ｍｍ離れている状態で、１３．５６ＭＨｚでおおよそ−１８ｄｂである。結合レベルは、本主題のＮＦＣアンテナがＮＦＣ通信の３つ全てのモード（アクティブ、パッシブ及びピア・ツー・ピア）のためのＮＦＣプロトコルの要件を満足することができることを示す。
【００１７】
図３Ａは、例となる実施形態に従って、接点３０８で時計本体３０２から給電されるコイル３０６を含む、装着用途のためのＮＦＣアンテナを表す。図３Ｂは、例となる実施形態に従って、図３ＡのＮＦＣアンテナと第２ＮＦＣアンテナとの間の結合を表すグラフである。結合は、先と同じく、２つのコイルが３０ｍｍ離れている状態で、１３．５６ＭＨｚでおおよそ−１８ｄｂであり、アンテナ給電位置からの結合に対する影響は無視できるほどであることを表す。
【００１８】
図４Ａは、例となる実施形態に従って、第２ＮＦＣアンテナ４１０に近接して人間の腕部模型に着けられている装着用途のためのＮＦＣアンテナ４０６を表す。図４Ｂは、例となる実施形態に従って、図４Ａのアンテナ４０６及び４１０の間の結合を表すグラフである。図４Ｂにおいて点２で示されるように、結合は、２つのコイルが３０ｍｍ離れている状態で、１３．５６ＭＨｚでおおよそ−１９デシベル（ｄｂ）であり、所望の周波数範囲において人体から結合に対してほとんど影響がないことを表す。人体又は腕からの結合は、アンテナ送信及び受信と干渉する可能性があり、本主題は、装置本体内に設けられ得るより大きいアンテナを提供して、結合の影響を小さくする。
【００１９】
図５Ａは、例となる実施形態に従って、ＮＦＣアンテナの横で第２ＮＦＣアンテナに近接している装着用途のためのＮＦＣアンテナ５０６を表す。図５Ｂは、例となる実施形態に従って、図５Ａのアンテナ間の結合を表すグラフである。図４Ｂにおいて点２で示されるように、結合は、２つのコイルが３０ｍｍ離れている状態で、１３．５６ＭＨｚでおおよそ−１９ｄｂであり、本主題のＮＦＣアンテナが多方向通信にとって有効であることを表す。
【００２０】
図６Ａ〜６Ｄは、例となる実施形態に従って、金属製ストラップを具備する装着用途のためのＮＦＣアンテナを表す。図６Ａでは、金属製ストラップ６０６は、時計表示６０８を含むエレクトロニクス・ブロック６０２を保持し、ストラップ６０６は、ＮＦＣアンテナを含む。基体６０４は、図６Ａに示されるように、金属製ストラップ間の領域の比較的小さい部分６０４であることができ、あるいは、基体６３４は、図６Ｃに示されるように、金属製ストラップ間の全部の領域を満たすことができる。ストラップの長さは、様々な実施形態において、図６Ｂに示されるように、金属製ストラップの断片を除去又は追加することによって調整され得る。時計表示は、様々な実施形態において、任意である。図６Ｄは、導電性部分６５２及び非導電性部分６５４を含む、取り外し可能な断片により作られたチェーンタイプの実施形態を表す。留め金６５０は、ストラップを接続するために且つ電気接続を保つために使用される。様々な金属が金属製ストラップのために使用可能であり、銅、スチール、金及び銀があるが、これらに限られない。
【００２１】
図７Ａ〜７Ｂは、プラスチック製又は革製ストラップを具備する装着用途のためのＮＦＣアンテナを表す。図７Ａでは、プラスチック製又は革製ストラップ７０４は、時計表示７０８を含むエレクトロニクス・ブロック７０２を保持し、ストラップ７０４は、金属コイル７０６がＮＦＣアンテナの機能を果たすように誘電体として働く。ストラップの長さは、調整留め具７４１又はバックルを用いて調整可能であり、スナップ・ボタン７４０は、留め具７４１により結合されたストラップ７０４の２つの部分にあるコイル７０６間の導電接続を形成するために使用される。時計表示は、様々な実施形態において、任意である。プラスチック及び皮革に加えて他の材料が、本主題の適用範囲から逸脱することなしに使用されてよい。
【００２２】
本主題の利点は、たとえ装着型装置が金属製の本体及び／又はストラップを含むとしても、装着型装置においてＮＦＣワイヤレス通信を可能にすることと、完全なＮＦＣ機能を提供して、装着型装置がパッシブ、アクティブ及びピア・ツー・ピア・モードを使用することを可能にすることと、金属製又は非金属製いずれかのストラップ及び装置本体の使用を提供することと、誘電体として使用されるフェライトを必要としないことと、審美的に魅力的なＮＦＣアンテナ解決法を提供することと、製造費用を減らすことと、異なった、調整可能なサイズのストラップをサポートすることと、多方向通信を提供することとを含む。
【００２３】
本明細書で記載される機能又はアルゴリズムは、１つの実施形態において、ソフトウェア又はソフトウェアと人間によって実施されるプロシージャとの組み合わせにおいて実装されてよい。ソフトウェアは、ローカルの又はネットワーク化されている１つ以上の非一時的なメモリ又は他のタイプのハードウェアに基づく記憶装置のようなコンピュータ可読媒体又はコンピュータ可読記憶装置に記憶されているコンピュータ実行可能命令の形をとってよい。更に、斯様な機能はモジュールに対応し、ソフトウェア、ハードウェア、ファームウェア又はそれらのいずれかの組み合わせであってよい。多数の機能は、望まれるように１つ以上のモジュールにおいて実行されてよく、記載される実施形態は、単に例である。ソフトウェアは、パーソナル・コンピュータ、サーバ又は他のコンピュータ・システムのようなコンピュータ・システムで動作するデジタル信号プロセッサ、ＡＳＩＣ、マイクロプロセッサ、又は他のタイプのプロセッサで実行されてよい。様々な実施形態は、ワイヤレス・ネットワーク内の１つよりも多いコントローラを含み、本主題を実行するための分散処理を含む。
【００２４】
図８は、例となる実施形態に従うコントローラ及び方法を実装するコンピュータ・システム８００のブロック概略図である。全てのコンポーネントが様々な実施形態において使用される必要はない。コンピュータ８００の形をした、１つの例となるコンピュータ装置は、処理部８０２、メモリ８０３、リムーバブル・ストレージ８１０、及び非リムーバブル・ストレージ８１２を含んでよい。例となるコンピュータ装置がコンピュータ８００として図解及び記載されているが、コンピュータ装置は、異なる実施形態では異なる形をとってよい。例えば、コンピュータ装置は、代わりに、スマートフォン、タブレット、スマートウォッチ、又は図８に関して図解及び記載されているのと同じか若しくは類似した要素を含む他のコンピュータ装置であってよい。スマートフォン、タブレット、及びスマートウォッチのような装置は、一般的には、モバイル装置と総称して呼ばれる。更に、様々なデータ記憶要素がコンピュータ８００の部分として表されているが、記憶装置は、同様に、又は代替的に、インターネットのようなネットワークを介してアクセス可能なクラウドに基づく記憶装置を含んでよい。様々な実施形態が、ワイヤレス・ネットワーク内の１つよりも多いコントローラを含み、本主題の方法を実行するための分散処理を含む。例えば、セルラー・ネットワーク内の各基地局は、メッセージを他のコントローラと交換し且つ分散された様式でネットワークを制御することができるコントローラ又は複数のコントローラを有してよい。
【００２５】
メモリ８０３は、揮発性メモリ８１４及び不揮発性メモリ８０８を含んでよい。コンピュータ８００は、揮発性メモリ８１４及び不揮発性メモリ８０８、リムーバブル・ストレージ８１０及び非リムーバブル・ストレージ８１２のような様々なコンピュータ可読媒体を含むコンピュータ環境を含むか、又はそれへのアクセスを有してよい。コンピュータ記憶装置は、ランダム・アクセス・メモリ（ＲＡＭ）、リード・オンリー・メモリ（ＲＯＭ）、消去可能なプログラム可能リード・オンリー・メモリ（ＥＰＲＯＭ）及び電気的消去可能なプログラム可能リード・オンリー・メモリ（ＥＥＰＲＯＭ）、フラッシュメモリ若しくは他のメモリ技術、コンパクト・ディスク・リード・オンリー・メモリ（ＣＤ  ＲＯＭ）、デジタル・バーサタイル・ディスク（ＤＶＤ）若しくは他の光ディスク記憶装置、磁気カセット、磁気テープ、磁気ディスク記憶装置若しくは他の磁気記憶装置、又はコンピュータ読出可能な命令を記憶することができるあらゆる他の媒体を含む。
【００２６】
コンピュータ８００は、入力部８０６、出力部８０４、及び通信接続８１６を含むコンピュータ環境を含むか、又はそれへのアクセスを有してよい。出力部８０４は、入力装置としても働くことができる、タッチスクリーンのような表示装置を含んでよい。入力部８０６は、コンピュータ８００及び他の入力装置の中に組み込まれるか、又はそれらへ有線又は無線データ接続を介して結合されるタッチスクリーン、タッチパッド、マウス、キーボード、カメラ、１つ以上の装置特有のボタン、１つ以上のセンサのうちの１つ以上を含んでよい。コンピュータは、データベース・サーバのような１つ以上の遠隔のコンピュータへ接続するために通信接続を用いてネットワーク環境で動作してよい。遠隔のコンピュータは、パーソナル・コンピュータ（ＰＣ）、サーバ、ルータ、ネットワークＰＣ、ピア装置若しくは他の共通ネットワークノード、又は同様のものを含んでよい。通信接続は、ローカル・エリア・ネットワーク（ＬＡＮ）、ワイド・エリア・ネットワーク（ＷＡＮ）、セルラー（３Ｇ、４Ｇ、ＬＴＥ、ｂｅｙｏｎｄ  ＬＴＥ、５Ｇ、等）、ＷｉＦｉ、Ｂｌｕｅｔｏｏｔｈ、及び他のネットワークを含んでよい。
【００２７】
コンピュータ可読媒体に記憶されているコンピュータ読出可能な命令は、コンピュータ８００の処理部８０２によって実行可能である。ハード・ドライブ、ＣＤ−ＲＯＭ、及びＲＡＭは、記憶装置のような非一時的なコンピュータ可読媒体を含む物のいくつかの例である。語「コンピュータ可読媒体」及び「記憶装置」は、搬送波を含まない。例えば、データ・アクセスのために及び／又はコンポーネント指向モデル（ＣＯＭ）に基づくシステム内のサーバの１つに作用するためにアクセス制御チェックを実行する一般的な技術を提供することができるコンピュータ・プログラム８１８は、ＣＤ−ＲＯＭ上に含まれ、ＣＤ−ＲＯＭからハード・ドライブにロードされてよい。コンピュータ読出可能な命令は、コンピュータ８００が、複数のユーザ及びサーバを有するＣＯＭに基づくコンピュータ・ネットワーク・システムにおいて一般的なアクセス制御を提供することを可能にする。
【００２８】
いくつかの実施形態が先に詳細に記載されてきたが、他の変更が可能である。例えば、図に表されている論理フローは、望ましい結果を達成するために、示されている特定の順序、又は順次的な順序を必要としない。他のステップが設けられてよく、あるいは、ステップは、記載されているフローから除かれてよく、他のコンポーネントが、記載されているシステムに加えられるか、あるいは、それから除かれてよい。他の実施形態は、続く特許請求の範囲の適用範囲内にあることができる。
【図１Ａ】
2019511152.tif 000003
【図１Ｂ】
2019511152.tif 000004
【図１Ｃ】
2019511152.tif 000005
【図２】
2019511152.tif 000006
【図３】
2019511152.tif 000007
【図４】
2019511152.tif 000008
【図５】
2019511152.tif 000009
【図６Ａ】
2019511152.tif 000010
【図６Ｂ】
2019511152.tif 000011
【図６Ｃ】
2019511152.tif 000012
【図６Ｄ】
2019511152.tif 000013
【図７Ａ】
2019511152.tif 000014
【図７Ｂ】
2019511152.tif 000015
【図８】
2019511152.tif 000016
【図９Ａ】
2019511152.tif 000017
【図９Ｂ】
2019511152.tif 000018
【図９Ｃ】
2019511152.tif 000019
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
近距離通信のための処理部を含むエレクトロニクス・ブロックと、
着用者によって身に付けられるときに前記エレクトロニクス・ブロックを保持するよう構成される調整可能なストラップと
を有し、
前記ストラップは、
少なくとも１つの巻きを有するコイルを形成するよう接続され、該コイルの巻き間のギャップを満たすよう構成される非導電性材料によって分離される導電性材料
を含み、
前記コイルは、前記エレクトロニクス・ブロックへ電気的に接続され、ＮＦＣプロトコル通信のために構成された近距離通信（ＮＦＣ）アンテナを有する、
装着型モバイル通信装置。
【請求項２】
前記コイルは、１３．５６ＭＨｚアンテナである、
請求項１に記載の装着型モバイル通信装置。
【請求項３】
前記コイルは、アクティブ・モード、パッシブ・モード、及びピア・ツー・ピア・モードにおけるＮＦＣアンテナ動作をサポートする、
請求項１に記載の装着型モバイル通信装置。
【請求項４】
前記非導電性材料は、フェライト材を含む、
請求項１に記載の装着型モバイル通信装置。
【請求項５】
前記非導電性材料は、誘電材料を含む、
請求項１に記載の装着型モバイル通信装置。
【請求項６】
前記ストラップは、金属を含む、
請求項１に記載の装着型モバイル通信装置。
【請求項７】
前記ストラップの一端の少なくとも一部は、前記エレクトロニクス・ブロックの中にある、
請求項１に記載の装着型モバイル通信装置。
【請求項８】
前記ストラップの両端の少なくとも一部は、前記エレクトロニクス・ブロックの中にある、
請求項１に記載の装着型モバイル通信装置。
【請求項９】
前記ストラップのどの部分も前記エレクトロニクス・ブロックの中になく、前記ストラップは、前記エレクトロニクス・ブロックへ接続されたヒンジを通じて給電構造へ接続される、
請求項１に記載の装着型モバイル通信装置。
【請求項１０】
前記エレクトロニクス・ブロックは、表示部を含む、
請求項１に記載の装着型モバイル通信装置。
【請求項１１】
装着型通信装置のためのストラップであり、
着用者によって身に付けられるときに前記装着型通信装置を保持するよう構成される基体部分と、
前記基体部分の周囲に隣接したコイルと
を有し、
前記コイルは、前記装着型通信装置へ電気的に接続され、ＮＦＣプロトコル通信のために構成された近距離通信（ＮＦＣ）アンテナを有する、
ストラップ。
【請求項１２】
当該ストラップの長さは、前記コイルの部分どうしの間の導電接続を中断することなしに当該ストラップの断片を除去又は追加することによって調整可能である、
請求項１１に記載のストラップ。
【請求項１３】
当該ストラップを着用者に留めるための保持機構であり、更には、該保持機構によって結合される前記基体部分の断片上の前記コイルの部分どうしの間に導電接続を形成するための前記保持機構を更に有する、
請求項１１に記載のストラップ。
【請求項１４】
当該ストラップの一端の少なくとも一部は、前記装着型通信装置のエレクトロニクス・ブロックの中にある、
請求項１１に記載のストラップ。
【請求項１５】
前記コイルは、前記装着型通信装置の前記エレクトロニクス・ブロックへの接続を用いて給電される、
請求項１４に記載のストラップ。
【請求項１６】
当該ストラップのどの部分も前記装着型通信装置のエレクトロニクス・ブロックの中になく、当該ストラップは、前記エレクトロニクス・ブロックへ接続されたヒンジを通じて給電構造へ接続される、
請求項１１に記載のストラップ。
【請求項１７】
基体の周囲に近接したコイルにより形成され、着用者によって身に付けられるときにエレクトロニクス・ブロックを保持するよう構成される調整可能なストラップを設けることと、
前記コイルを前記エレクトロニクス・ブロックへ電気的に接続することと
を有し、
前記コイルは、ＮＦＣプロトコル通信のために構成された近距離通信（ＮＦＣ）アンテナの一部を有する、
方法。
【請求項１８】
前記ストラップにおいて前記コイルを成形することを有する、
請求項１７に記載の方法。
【請求項１９】
前記ストラップの中にある前記ＮＦＣアンテナの前記一部を、前記エレクトロニクス・ブロックの中にある前記ＮＦＣアンテナの第２部分へ接続することを有する、
請求項１７に記載の方法。
【請求項２０】
前記コイルを前記エレクトロニクス・ブロックへ電気的に接続することを有する、
請求項１７に記載の方法。
【手続補正２】
【補正対象書類名】明細書
【補正対象項目名】００１９
【補正方法】変更
【補正の内容】
【００１９】
図５Ａは、例となる実施形態に従って、ＮＦＣアンテナの横で第２ＮＦＣアンテナに近接している装着用途のためのＮＦＣアンテナ５０６を表す。図５Ｂは、例となる実施形態に従って、図５Ａのアンテナ間の結合を表すグラフである。図５Ｂにおいて点２で示されるように、結合は、２つのコイルが３０ｍｍ離れている状態で、１３．５６ＭＨｚでおおよそ−１９ｄｂであり、本主題のＮＦＣアンテナが多方向通信にとって有効であることを表す。
【手続補正３】
【補正対象書類名】明細書
【補正対象項目名】００２１
【補正方法】変更
【補正の内容】
【００２１】
図７Ａ〜７Ｂは、プラスチック製又は革製ストラップを具備する装着用途のためのＮＦＣアンテナを表す。図７Ａでは、プラスチック製又は革製ストラップ７０４は、時計表示７０８を含むエレクトロニクス・ブロック７０２を保持し、ストラップ７０４は、金属コイル７０６がＮＦＣアンテナの機能を果たすように誘電体として働く。ストラップの長さは、調整留め具７４２又はバックルを用いて調整可能であり、スナップ・ボタン７４０は、留め具７４２により結合されたストラップ７０４の２つの部分にあるコイル７０６間の導電接続を形成するために使用される。時計表示は、様々な実施形態において、任意である。プラスチック及び皮革に加えて他の材料が、本主題の適用範囲から逸脱することなしに使用されてよい。
【国際調査報告】
2019511152.tif 000020
2019511152.tif 000021